(57)【要約】      （修正有）【課題】簡素な装置で、安価な、一般の家庭向きの融雪装置を提供する。【解決手段】降積した雪を投入するホッパー２に格子状やハニカム状に仕切り板３を内設し、このホッパー２に投入した雪を加熱して融かすために石油ヒーター６を設け、融かした雪水を排出可能に排水管１０をホッパー２の底部に接続している。ホッパー２の下部を加熱可能にファンヒーターの石油ヒーター６を配設し、排水管１０に多数の微少孔を開孔することが好ましく、さらにホッパー２の側面を二重状とし、ホッパー２の底面部を凸凹状とすることが好ましい。【選択図】図１
0003197979.tif 000002
【実用新案登録請求の範囲】
【請求項１】
降積した雪を投入するホッパーに格子状やハニカム状に仕切り板を内設し、このホッパーに投入した雪を加熱して融かすために石油ヒーターを設け、融かした雪水を排出可能に排水管をホッパーの底部に接続したことを特徴とする融雪装置。
【請求項２】
ホッパーの下部を加熱可能にファンヒーターの石油ヒーターを配設し、排水管に多数の微少孔を開孔したことを特徴とする請求項１に記載の融雪装置。
【請求項３】
ホッパーの側面を二重状とし、ホッパーの底面部を凸凹状としたことを特徴とする請求項１または２に記載の融雪装置。
【請求項４】
ホッパーの底面の裏側に凸凹面の金属板を接合したことを特徴とする請求項１ないし３のいずれかに記載の融雪装置。
【請求項５】
ホッパーの内側面部または外側面部に石油ヒーターの加熱による排気用の排気管を配設したことを特徴とする請求項１ないし４のいずれかに記載の融雪装置。
【考案の詳細な説明】
【技術分野】
【０００１】
本考案は、豪雪地域や降雪地域に利用可能な融雪装置に関するものである。
【背景技術】
【０００２】
豪雪地域の除雪手段として、屋根の雪下ろし手段や、道路に積雪の除去手段、建物の周辺に積もった雪を融かす融雪手段等が知られている。
【０００３】
前記雪下し手段は、建物の倒壊を防止するのに重要であり、道路の積雪除去手段も自動車や人の通行のために重要である。しかし、これらは、専ら積雪部の移動といえるもので、建物の倒壊や自動車や人の通行に邪魔にならないようにするものであり、降積した雪を消滅するものでない。
【０００４】
その点、後者の融雪手段は、降積した雪を融かして消滅処理ができるため、積雪状態を消滅できる。しかし、従来の融雪装置は、大型で、価格が高く、ランニングコストも高く、到底、一般の家庭向きとしては購入して利用することが困難であった。
【先行技術文献】
【特許文献】
【０００５】
【特許文献１】特開２０１２−１８４５４３号公報
【考案の開示】
【考案が解決しようとする課題】
【０００６】
そのため、できるだけ簡素な装置で、安価な、一般の家庭向きの融雪装置を提供することが課題であった。
【課題を解決するための手段】
【０００７】
本考案は、上記のような点に鑑みたもので、上記の課題を解決するために、実用新案登録請求の範囲の請求項１のように、降積した雪を投入するホッパーに格子状やハニカム状に仕切り板を内設し、このホッパーに投入した雪を加熱して融かすために石油ヒーターを設け、融かした雪水を排出可能に排水管をホッパーの底部に接続したことを特徴とする融雪装置を提供するにある。
【０００８】
また、請求項２のように、ホッパーの下部を加熱可能にファンヒーターの石油ヒーターを配設し、排水管に多数の微少孔を開孔したことを特徴とする融雪装置を提供するにある。
【０００９】
また、請求項３のように、ホッパーの側面を二重状とし、ホッパーの底面部を凸凹状としたことを特徴とする融雪装置を提供するにある。
【００１０】
またさらに、請求項４のように、ホッパーの底面の裏側に凸凹面の金属板を接合したことを特徴とする融雪装置を提供するにある。
【００１１】
またさらに、請求項５のように、ホッパーの内側面部または外側面部に石油ヒーターの加熱による排気用の排気管を配設したことを特徴とする融雪装置を提供するにある。
【考案の効果】
【００１２】
本考案は、実用新案登録請求の範囲の請求項１のように、降積した雪を投入するホッパーに格子状やハニカム状に仕切り板を内設し、このホッパーに投入した雪を加熱して融かすために石油ヒーターを設け、融かした雪水を排出可能に排水管をホッパーの底部に接続したことによって、雪をホッパーの格子状の仕切り板間に装填でき、石油ヒーターで加熱すると、装填した雪が装置の内壁面および仕切り板を介して加熱されて融雪する。融雪した水は、排水管を介して外部に排出され、屋根や道路に降積した雪を消滅することができる。
特に、ホッパーに石油ヒーターを設ける位だけなので、簡素で、安価に製造でき、さらにランニングコストも低く、降雪地域や積雪地域の一般家庭において十分に利用できる。
【００１３】
さらに、請求項２のように、ホッパーの下部を加熱可能にファンヒーターの石油ヒーターを配設し、排水管に多数の微少孔を開孔したことによって、ファンヒーターの石油ヒーターでホッパーの下部を加熱して上記のようにホッパーに装填して、雪を融かし、排水管を介して排出できるとともに、排水管の微少孔から蒸気状に放出できて、その周辺の雪を融かして消滅することができる。
【００１４】
また、請求項３のように、ホッパーの側面を二重状とし、ホッパーの底面部を凸凹状としたことによって、ホッパーの側面の断熱性を高められて、また凸凹状の底面での熱伝達性を高められ、熱効率よく加熱できて融雪することができる。
【００１５】
さらにまた、請求項４のように、ホッパーの底面の裏側に凸凹面の金属板を接合したことによって、ホッパーの底面に接合した凸凹面の金属板を介して石油ヒーターから熱効率よくホッパー内に伝達して融雪することができる。
【００１６】
またさらに、請求項５のように、ホッパーの内側面部または外側面部に石油ヒーターの加熱による排気用の排気管を配設したことによって、石油ヒーターによる排気管を介してその排熱を利用してホッパー内の雪を融かすことができる。
【図面の簡単な説明】
【００１７】
【図１】本考案の一実施例の概略正断面図、
【図２】同上の概略側断面図、
【図３】同上の排水管部の拡大平面図、
【図４】同上のホッパーの底面部の他の実施例の一部省略したやや拡大の概略側断面図、
【図５】同上のさらに他の実施例の一部省略したやや拡大の概略拡大概略側断面図、
【図６】同上のさらに他の実施例の装置を組み立て、分解自在とした概略正面図。
【考案を実施するための形態】
【００１８】
本考案の融雪装置１は、降積した雪を投入するホッパーに格子状やハニカム状に仕切り板を内設し、このホッパーに投入した雪を加熱して融かすために石油ヒーターを設け、融かした雪水を排出可能に排水管をホッパーの底部に接続したことを特徴としている。
【００１９】
融雪装置１は、図１、図２のように所要の大きさの箱状に鉄板等を折曲したりして所定容量のホッパー２を形成し、降積した雪を投入して融雪して排水処理するようにしている。
【００２０】
ホッパー２は、１５００〜２０００ｍｍ幅×６００〜１０００ｍｍ奥行×６００〜１０００ｍｍ高さの０．５〜２ｍ3 容量の比較的小型として所要厚さの鉄板や鋼板等で形成し、その底面を１〜５度の傾斜面として雪水を排水処理しやすくしている。
【００２１】
また、ホッパー２の内部には、所定の間隔で格子状やハニカム状に鉄板や鋼板等の金属板の仕切り板３をホッパー２の底部から５分の１の高さから上端部にわたる高さ（好ましくは３分の１〜２分の１の高さ）に装着して、ホッパー２の底面部からの熱を仕切り板３に熱伝達して、装填した雪に熱伝達して熱効率よく融雪できるようにしている。
【００２２】
また、ホッパー２の上部には投入ガイド４を斜め状に設けて雪を投入しやすくし、さらに側周部を二重の筒状として側周面からの放熱をできるだけ防止して熱効率を高めるようにしている。
【００２３】
このように形成したホッパー２の下側には、図１、図２のように所要の空間部５を設け、その一側部に家庭用や工業用の石油ヒーター６を搭載して灯油を燃焼して得た熱を送風ファン７で空間部５に送給し、ホッパー２の底面を加熱してホッパー２内に装填した雪を融かすようにしている。上記空間部５の側周部や下部も、二重状として空間部８を設けたり、断熱材を装着して放熱するのを防止することが好ましい。
【００２４】
そして、上記ホッパー２の一側部に排水孔９を開孔して排水管９を接続し、融雪した雪水を排水処理するようにしている。
【００２５】
上記排水管１０は、図３のように蛇行状とするのが好ましく、その側周面には多数の微小孔１１を開孔し、加熱された雪水を微小孔１１から蒸気として放出し、周辺の雪を融かして消滅できるようにしている。
【００２６】
また、上記した空間部５の石油ヒーター６と反対側の一端部には、排気管１２を排設し、石油ヒーター６による排気ガスを排出するようにしている。必要により、所要のフィルターを設けることができる。１３は走行用車輪、１４は走行用把手である。
【００２７】
上記したホッパー２の底面の裏側には、図４のように凸凹面とした鉄板や鋼板等の金属板１５を溶接したりして接合することもできる。
【００２８】
また、図５のように、上記した排気管１２の一部または全部をホッパー２の内側面部や外側面部に沿うように配設し、排気ガスの余熱を活用して融雪するようにもできる。
【００２９】
また、図６のように、融雪装置１のホッパー２部をコーナー部にアングル材１６等を介してボルト１７で組み立て、分解自在に接合して形成し、夏期等の融雪装置１が不要時にボルト１７をはずして解体し、部材等を重ね合せたりして、積み立てて嵩ばらずに保管するようにしている。
【００３０】
上記ホッパー２の側周面部や空間部５に所要の断熱材を貼付したりすることもでき、またファンヒーターでなくて石油ヒーター６をホッパー２の下側等の所要位置に配設することも可能であり、さらにホッパー２の底面部に良熱伝導材を使用したり、接合することも可能で、上記した本考案の趣旨にもとづいて適宜の省エネルギーや熱効率を高める手段を採択することができる。
【実施例】
【００３１】
図１、図２は、本考案の実施例を示すもので、融雪装置１は、図１、図２のように１５００ｍｍ幅×６００ｍｍ奥行×６００ｍｍ高さのほぼ０．５ｍ3 容量の小型の箱状に所定厚さの鉄板を折曲してホッパー２を形成し、降積した雪を投入して融雪して排水処理するようにしている。ホッパー２の底面は、５度の傾斜面として融雪して排水処理しやすくしている。
【００３２】
上記ホッパー２の内部には、所定の間隔で格子状に鉄板の金属板の仕切り板３をホッパー２の底部から３分の１位の高さに装着して、ホッパー２の底面部からの熱を仕切り板３に熱伝達して装填した雪を融雪できるようにしている。また、ホッパー２の上部には投入ガイド４を斜め状に設けて雪を投入しやすくし、さらに側周部を二重の筒状として側周面からの放熱をできるだけ防止して熱効率を高められるようにしている。
【００３３】
このように形成したホッパー２の下側には、図１、図２のように所要の空間部５を設け、その一側部に家庭用のファンヒーターの石油ヒーター６を搭載し、灯油を燃焼して得た熱を送風ファン７で空間部５に送給してホッパー２の底面を加熱してホッパー２内に装填した雪を融かすようにしている。上記空間部５の側周部や下部も、二重状として空間部８を設けて放熱するのを防止するようにしている。上記ホッパー２の一側部に排水孔９を開孔して排水管１０を接続し、融雪した雪水を排水処理するようにしている。
【００３４】
上記排水管１０は、図３のように蛇行状に接続し、その側周面に多数の微小孔１１を開孔し、加熱された雪水を微小孔１１から蒸気として放出し、周辺の雪を融かして消滅できるようにしている。また、上記した空間部５の石油ヒーター６と反対側の一端部には、排気管１２を排設し、石油ヒーター６による排気ガスを排出するようにしている。
【００３５】
降積した５を除去するには、融雪装置１を走行用把手１４を持って走行用車輪１３を介して走行して所定の積雪部に移動し、スコープやコンベア等で積雪をホッパー２に投入し、石油ヒーター６を作動してホッパー２の底面を加熱し、装填した雪を融かしていく。
【００３６】
ホッパー２に投入した雪は、石油ヒーター６による加熱によってホッパー２の底面部、格子状の仕切り板３を介して融雪し、融雪した水は排水管１０を介して外部に排出され、屋根や道路に降積した雪を消滅して除去することができる。
【００３７】
特に、ホッパー２に石油ヒーター６を設ける位だけなので、装置を簡素で、安価に製造でき、さらにランニングコストも低く、豪雪地域や積雪地域の一般家庭において十分に利用でき、熱効率よく除雪することができる。
【００３８】
また、ホッパー２の下部にファンヒーターの石油ヒーター６を配設し、排水管１０に多数の微少孔１１を開孔したので、熱効率のよい、安価なファンヒーターの石油ヒーター６でホッパー６の底面部を加熱してホッパー２に装填した雪を融かし、排水管１０を介して排出できるとともに、排水管１０の微少孔１１から蒸気状に放出できて、その周辺の雪を融かすことができる。
【００３９】
また、ホッパー２の側面を二重状としたので、ホッパー２の側面の断熱性を高められて、熱効率よく融雪することができる。
【００４０】
図４は、本考案の他の実施例で、ホッパー２の底面の裏側に凸凹面の金属板１５を接合したものである。本実施例では、ホッパー２の底面に接合した凸凹面の金属板１５を介して石油ヒーター６から熱効率よくホッパー２内に熱伝達して上記のように融雪することができる。
【００４１】
図５は、本考案のさらに他の実施例で、ホッパー２の内側面部に石油ヒーター６の加熱による排気用の排気管１２を配設したものである。本実施例では、石油ヒーター６によって生じる排気ガスを排気管１２を介してその排熱を利用してホッパー２内の雪を融かすことができ、石油ヒーター６の熱を有効に利用するできるものである。
【００４２】
図６は、本考案のさらに他の実施例で、融雪装置１のホッパー２部をコーナー部にアングル材１６を介してボルト１７で組み立て、分解自在に形成したものである。本実施例では、夏期等の融雪装置１が不要時に、ボルト１７をはずして解体し、部材等を重ね合せたりして、積み立てて嵩ばらずに保管するようにできて好ましい。
【産業上の利用可能性】
【００４３】
本考案は、豪雪地域や積雪地域における屋根に積もって雪下ろした雪や、道路等に積雪した雪の除去に広く利用することができる。
【符号の説明】
【００４４】
１…融雪装置            ２…ホッパー      ３仕切板          ５…空間部
６…石油ヒーター      １０…排水管      １１…微小孔      １２…排気管
【図１】
0003197979.tif 000003
【図２】
0003197979.tif 000004
【図３】
0003197979.tif 000005
【図４】
0003197979.tif 000006
【図５】
0003197979.tif 000007
【図６】
0003197979.tif 000008